(57)【要約】 【課題】フェルールの押圧力や係止爪の押圧力などを効率よく測定できる測定具を提供すること。【解決手段】  測定具５０は、プラグアダプタの挿入空間に挿入される挿入部５２と、挿入空間内において測定すべき箇所に接触する接触部５４と、測定すべき箇所から接触部５４が受ける力を測定する測定部と、挿入部５２が設けられた本体５６部と、本体部５６にスライド可能に結合されたスライド部材５８を備えている。スライド部材５８の先端に挿入部５２の外側から挿入空間に挿入可能に設けられ、挿入空間に挿入されることで係止爪に係合し係止爪を開く爪片６０が設けられている。【選択図】図１
2006243125.tif 000002
【特許請求の範囲】
【請求項１】
光コネクタプラグのハウジングが挿入される一対の挿入空間と、前記各挿入空間に配置され光コネクタプラグのフェルールが挿入される弾性スリーブと、前記各挿入空間の互いに対向する箇所に設けられ前記ハウジングの係止凹部に係止する弾性変形可能な一対の係止爪とを備えたプラグアダプタ用測定具であって、
前記挿入空間に挿入される挿入部と、
前記挿入部に設けられ前記挿入部が前記挿入空間に挿入された際に前記挿入空間内において測定すべき箇所に接触する接触部と、
前記測定すべき箇所から前記接触部が受ける力を測定する測定部と、
長さを有しその長さ方向の端部に前記挿入部が設けられた本体部と、
前記本体部に前記長さ方向にスライド可能に結合されたスライド部材と、
前記スライド部材の先端に前記挿入部の外側から前記挿入空間に挿入可能に設けられ、前記挿入空間に挿入されることで前記係止爪に係合し前記係止爪を開く爪片と、
を備えることを特徴とするプラグアダプタ用測定具。
【請求項２】
前記測定すべき箇所は前記係止爪であり、前記挿入部に前記係止凹部と同一形状で底部が開放された係止凹部が設けられ、前記接触部は、前記係止凹部の開放された底部に配置され、前記接触部は弾性変形可能な支持部材により前記挿入部の内部で支持され、前記測定部は前記支持部材に貼り付けられたひずみゲージを含んで構成され前記係止爪の押圧力を測定することを特徴とする請求項１記載のプラグアダプタ用測定具。
【請求項３】
前記一対の挿入空間のうちの一方に光コネクタプラグが装着されており、前記測定すべき箇所は、前記挿入空間に既に装着された光コネクタプラグのフェルールであり、前記挿入部に前記フェルールに同軸上で前記フェルールに接触可能な軸部材が設けられ、前記軸部材に前記軸部材と同軸上に延在する軸力伝達部材が連結され、前記軸力伝達部材を前記軸部材が前記フェルールに接触する方向に付勢する付勢手段が設けられ、前記軸力伝達部材と付勢手段は前記本体部の内部に配設され、前記測定部は前記軸力伝達部材に貼り付けられたひずみゲージを含んで構成され前記フェルールの軸方向の押圧力を測定することを特徴とする請求項１記載のプラグアダプタ用測定具。
【発明の詳細な説明】
【技術分野】
【０００１】
本発明は光コネクタの測定具に関し、より詳細には、２つの光ファイバの先端にそれぞれ取着された光コネクタプラグを同軸上で連結するプラグアダプタ用の測定具に関する。
【背景技術】
【０００２】
２つの光ファイバを同軸上で接続する場合、２つの光ファイバの先端にそれぞれ光コネクタプラグを取着しておき、それら光コネクタプラグをプラグアダプタに装着することが行われている。
そしてこのような光コネクタプラグとプラグアダプタからなる光コネクタによれば、２つの光ファイバが連結される（例えば、特許文献１、特許文献２）。
【０００３】
図１６は光コネクタプラグの斜視図、図１７（Ａ）はプラグアダプタの正面図、（Ｂ）はプラグアダプタの要部断面側面図、図１８はプラグアダプタに光コネクタプラグが装着された状態の断面図を示す。
光コネクタを構成する光コネクタプラグ１０およびプラグアダプタ３０は、ＳＣ形光ファイバコネクタであり、より詳細には、ＳＣ形光ファイバコネクタのなかの工具着脱タイプのものである。
光コネクタプラグ１０は、断面が中空で矩形のハウジング１２と、ハウジング１２の後部に取着された連結具１４と、ハウジング１２内に配設され光ファイバが取着されたフェルール１６とを備えている。
図１８に示すように、フェルール１６は、ハウジング１２の内部に配設されたコイルスプリング１８によりその先端がハウジング１２の先端面から常時突出する方向に付勢されており、フェルール１６は軸方向に押圧力を有している。
ハウジング１２の両側の側面には、プラグアダプタ３０に係脱可能に取り付けられるための係止凹部２０が形成されている。
【０００４】
プラグアダプタ３０は、ハウジング３２と、ハウジング３２の両端面に同軸上に設けられた一対のアダプタ部３４、３４を備え、一対のアダプタ部は、図面では省略されているが縦横に等間隔をおいて複数形成されている。
各アダプタ部３４は、光コネクタプラグ１０が挿入される挿入空間３６と、挿入空間３６の奥部に配置された筒部３８と、筒部３８を挟んだ箇所に配置され光コネクタプラグ１０の係止凹部２０に係止する弾性変形可能な一対の係止爪４０とを備えている。
筒体３８には、互いに対向する光コネクタプラグ１０のフェルール１６が挿入される弾性スリーブ４２が装着されている。
弾性スリーブ４２は、それらフェルール１６を同軸上に位置させるためのものであり、フェルール１６の押圧力はそれらフェルール１６の端面どうしを密着した状態で突き合わせるためのものであり、係止凹部２０および係止爪４０は、フェルール１６の端面どうしを同軸上で密着した状態で突き合わせるため光コネクタプラグ１０のプラグアダプタ３０への装着状態を確実ならしめるためのものである。
なお、フェルール１６、係止凹部２０、係止爪４０、弾性スリーブ４２などの形状は、ＪＩＳ  Ｃ  ５９７３で規定されるＦ０４形単心光ファイバコネクタと同一の形状である。
【０００５】
工具着脱タイプの光コネクタでは、プラグアダプタ３０に装着された状態から光コネクタプラグ１０を取り外す場合には、図１９に示す工具４４が用いられる。
工具４４は、一対のバー４６の先端に爪４８が設けられたもので、各爪４８は細幅な一対の爪片４８０２を有している。
一対の爪片４８０２は、図１６、図１８に示すように、係止凹部２０の近傍のハウジング１２の箇所に設けられた突起２００２の両側を通ってプラグアダプタ３０の挿入空間３６に挿入され、図１７（Ａ）に示すように、係止爪４０の爪部４００１の幅方向両側の凹部４００２に係合可能であり、一対の爪片４８０２を係止爪４０の幅方向両側の凹部４００２に係合させ押し込むことにより係止爪４０を強制的に開くものである。
すなわち、各爪片４８０２は一対の係止爪４０を強制的に開き、係止爪４０と係止凹部２０との係止を解除し、これにより、光コネクタプラグ１０をプラグアダプタ３０から取り外すことが可能となる。
【０００６】
上述したように、フェルール１６の押圧力は同軸上でそれらフェルール１６の端面どうしを密着した状態で突き合わせるためのものであり、係止凹部２０および係止爪４０は、フェルール１６の端面どうしを同軸上で密着した状態で突き合わせ光コネクタプラグ１０のプラグアダプタ３０への装着状態を確実ならしめるためのものであり、安定した光ファイバの連結状態を得るには、このようなフェルール１６の押圧力や係止爪４０の押圧力を測定しておく必要がある。
そこで、光コネクタプラグ１０とほぼ同一形状の先端部を有する測定具を製作し、光コネクタプラグ１０とほぼ同一形状の先端部をプラグアダプタ３０に装着させ、フェルール１６の押圧力や係止爪４０の押圧力を測定することが考えられる。
【特許文献１】特開平３−２９６００５号公報
【特許文献２】特開平４８５５３８号公報
【発明の開示】
【発明が解決しようとする課題】
【０００７】
しかしながら、測定時に、光コネクタプラグ１０とほぼ同一形状の先端部をプラグアダプタ３０に一旦装着すると、プラグアダプタ３０から取り外すには、図１９に示す取り外し用の工具４４を用いなければならない。
したがって、１００本、２００本単位で光ファイバを連結するプラグアダプタ３０では、１００箇所、２００箇所で取り外し用の工具４４をその都度操作しなければならず、測定効率を高めることができない。
本発明は前記事情に鑑み案出されたものであって、本発明の目的は、フェルールの押圧力や係止爪の押圧力などを効率よく測定できる測定具を提供することにある。
【課題を解決するための手段】
【０００８】
前記目的を達成するため本発明は、光コネクタプラグのハウジングが挿入される一対の挿入空間と、前記各挿入空間に配置され光コネクタプラグのフェルールが挿入される弾性スリーブと、前記各挿入空間の互いに対向する箇所に設けられ前記ハウジングの係止凹部に係止する弾性変形可能な一対の係止爪とを備えたプラグアダプタ用測定具であって、前記挿入空間に挿入される挿入部と、前記挿入部に設けられ前記挿入部が前記挿入空間に挿入された際に前記挿入空間内において測定すべき箇所に接触する接触部と、前記測定すべき箇所から前記接触部が受ける力を測定する測定部と、長さを有しその長さ方向の端部に前記挿入部が設けられた本体部と、前記本体部に前記長さ方向にスライド可能に結合されたスライド部材と、前記スライド部材の先端に前記挿入部の外側から前記挿入空間に挿入可能に設けられ、前記挿入空間に挿入されることで前記係止爪に係合し前記係止爪を開く爪片とを備えることを特徴とする。
【発明の効果】
【０００９】
本発明によれば、接触部と測定部とによりプラグアダプタ内の測定すべき箇所から接触部が受ける力が測定される。
また、スライド部材を挿入空間に挿入したのち本体部を挿入空間から抜き出すといった簡単な操作により挿入部とプラグアダプタとの係合状態を解除でき、測定具をプラグアダプタから取り出すことができる。
【発明を実施するための最良の形態】
【００１０】
以下、本発明の実施の形態を添付図面に従って説明する。
まず、第１の実施の形態から説明すると、図１（Ａ）は第１の実施の形態に係る測定具の平面図、（Ｂ）は正面図、図２（Ａ）は測定具の要部の平面図、（Ｂ）は断面正面図、（Ｃ）は前面図、（Ｄ）は後面図を示す。
第１の実施の形態に係る測定具５０は、プラグアダプタ３０の係止爪４０の押圧力を測定するものである。
測定具５０は、プラグアダプタ３０の挿入空間３６に挿入される挿入部５２と、挿入部５２に設けられた接触部５４に加え、本体部５６と、本体部５６に設けられたスライド部材５８と、スライド部材５８の先端に設けられた爪片６０を備えている。
【００１１】
挿入部５２は、図２、図３に示すように、本体部５６の先端に取着される第１の部材６２に設けられている。
第１の部材６２は断面が中空で矩形を呈している。
第１の部材６２は長さを有しており、その長さ方向の一端６２Ａの外形形状は、挿入空間３６に挿入される光コネクタプラグ１０のハウジング１２の部分と同一の形状に形成され、この部分により挿入部５２が構成されている。
また、第１の部材６２の長さ方向の中間部のボス部６２０２には、フェルール１６と同形状の軸部材６２０４が取着され、軸部材６２０４は第１の部材６２の端面からフェルール１６と同一の突出量で突出している。
第１の部材６２の長さ方向の一端６２Ａの両側には、ハウジング１２の係止凹部２０と同一の外形形状の係止凹部６２０６が設けられており、この係止凹部６２０６の底面は、係止凹部２０と異なって開放されている。
第１の部材６２の長さ方向の他端６２Ｂには、断面が矩形の孔６２０８が形成されている。
【００１２】
第１の部材６２は、図２に示すように、第２の部材６４を介して本体部５６に取着されている。
第２の部材６４は、図２、図４に示すように、上下半割の一対の分割体６６で構成され、長さを有している。
第２の部材６４の長さ方向の一端には、中空の矩形部６４０２が形成され、この矩形部６４０２は、各分割体６６の長さ方向の一端６６０２により構成されている。
また、第２の部材６４の長さ方向の他端には、円筒部６４０４が形成され、この円筒部６６０２は、各分割体６６の長さ方向の他端６６０４により構成されている。
第１の部材６２と第２の部材６４は、中空の矩形部６４０２が第１の部材６２の孔９２０８に嵌合されねじにより固定されることで取着され、第１の部材６２の長さ方向の他端６２Ｂと第２の部材６４とは同一外形形状の矩形に形成されている。
【００１３】
図１に示すように、本体部５６は、基部５６０２と、基部５６０２から延在する延在部５６０４とを有し、長さを有している。
基部５６０２と延在部５６０４は共に断面が扁平な矩形に形成され、基部５６０２から延在部５６０４にわたり内部に孔５６０６が貫通形成されている。
そして、第２の部材６４の円筒部６４０４が、延在部５６０４の先端の嵌合孔に嵌め込まれてねじにより固定され、第１の部材６２が本体部５６の長さ方向の先端に取着されている。
なお、本体部５６も上下半割の一対の分割体で構成され、それら分割体がねじにより取着されことで構成されている。
【００１４】
接触部５４は、挿入部５２に設けられ挿入空間３６内において測定すべき箇所に接触するように構成されている。
本実施例では、係止爪４０の押圧力を測定するものであることから、接触部５４は、図５乃至図７に示すように、プラグアダプタ３０の係止爪４０に接触可能な接触部材５４０２と、接触部材５４０２を支持する支持部材５４０４とで構成されている。
支持部材５４０４は細幅で直線状に延在する弾性変形可能なばね板で構成されている。
支持部材５４０４の先端の細幅部５４０６に接触部材５４０２が溶接により固定され、支持部材５４０４の基部にはねじ挿通孔５４０８が形成されている。
接触部５４は、図２に示すように、支持部材５４０４のねじ挿通孔５４０８に挿通したねじにより支持部材５４０４の基部が第２の部材６４の内部に取着され、支持部材５４０４は第２の部材６４の内部から第１の部材６４の内部にわたって延在し、接触部材５４０２が、第１の部材６２の係止凹部９２０６の開放された底部に配置されている。
そして、挿入部５２がプラグアダプタ３０の挿入空間３６に挿入され、軸部材９２０４がプラグアダプタ３０の弾性スリーブ４２に挿通され、プラグアダプタ３０の係止爪４０が第１の部材６２の係止凹部９２０６に係止し、このとき、係止爪４０の爪部４００１が接触部材５４０２に接触し、係止爪４０の弾性力により、接触部材５４０２が第１の部材６２の内部に押し下げられ、支持部材５４０４が弾性変形するように構成されている。
【００１５】
図２、図５に示すように、支持部材５４０４が弾性変形する長さ方向の中間の両面にひずみゲージ６８が貼り付けられている。
このひずみゲージ６８は、リード線７０（図１参照）を介して測定具５０の外部の検出回路、演算部に接続され、支持部材５４０４が弾性変形することで支持部材５４０４の部分のひずみが前記検出回路により電気抵抗の変化として検出され、演算部で前記電気抵抗の変化に基づいて係止爪４０の押圧力を演算するように構成されている。
ここで、検出回路は、例えば、アナログ回路で構成され、演算部は、例えば、前記アナログ回路で出力されるアナログ信号をデジタル信号に変換するＡＤ変換器と、専用のプログラムを実行することにより前記デジタル信号に基づいて押圧力の演算を行うマイクロコンピュータなどで構成される。
【００１６】
スライド部材５８は、図１に示すように、第１スライド部５８０２と、第２スライド部５８０４と、それら第１スライド部５８０２と第２スライド部５８０４とを連結する連結板５８０６とを備えている。
第１スライド部５８０２は、延在部５６０４上にスライド可能に結合されている。
第２スライド部５８０４は、結合された第１の部材６２の長さ方向の他端９２Ｂと第２の部材６４とにスライド可能に結合されている。
そして、連結板５８０６は一対設けられ、それぞれ断面が扁平な矩形断面の延在部５６０４の短辺上を延在し、第１スライド部５８０２と第２スライド部５８０４とを連結している。
【００１７】
第２スライド部５８０４は、図８に示す爪部材７２の一部で構成されている。
すなわち爪部材７２は、中空状の胴部７２０２を備え、爪片６０がこの胴部７２０２から突設されている。
胴部７２０２により第２スライド部５８０４が構成され、胴部７２０２の内部の矩形孔７２０４に、結合された第１の部材６２の長さ方向の他端６２Ｂと第２の部材６４とがスライド可能に結合されている。
胴部７２０２の両側にはねじ孔７２０６が形成され、連結板５８０６の端部はこのねじ孔７２０６を介して爪部材７２に連結されている。
爪片６０は、胴部７２０２の両側に２つずつ設けられ、それらの基部は連結されている。
爪片６０は、スライド部材５８を挿入部５２から離しておき、挿入部５２がプラグアダプタ３０の挿入空間３６に挿入され、軸部材９２０４がプラグアダプタ３０の弾性スリーブ４２に挿通され、プラグアダプタ３０の係止爪４０が第１の部材６２の係止凹部６２０６に係止した状態で、スライド部材５８が挿入部５２方向に移動されると、図１７（Ｂ）に示すように、プラグアダプタ３０の係止爪４０の両側から挿入空間３６に侵入し、係止爪４０の爪部４００１の幅方向両側の凹部４００２に係合し、係止爪４０を開く方向に弾性変形させるように構成されている。すなわち、従来の工具４４の爪片４８０２と同様な機能を発揮するように構成されている。
【００１８】
第１実施例の測定具５０によれば、本体部５６を手で持ち図１７に示すプラグアダプタ３０の挿入空間３６に挿入部５２を挿入すると、軸部材６２０４がプラグアダプタ３０の弾性スリーブ４２に挿通され、プラグアダプタ３０の係止爪４０が第１の部材６２の係止凹部６２０６に係止する。
このとき、係止爪４０の爪部４００１が接触部材５４０２に接触し、接触部材５４０２が第１の部材６２の内部に押し下げられ、支持部材５４０４が弾性変形し、ひずみゲージ６８を介して支持部材５４０４のひずみが電気抵抗の変化として検出され、プラグアダプタ３０の係止爪４０の押圧力が演算される。
そして、この演算結果を見ることで、プラグアダプタ３０の係止爪４０が、フェルール１６の端面どうしを同軸上で密着した状態で突き合わせ光コネクタプラグ１０のプラグアダプタ３０への装着状態を確実ならしめるに足る弾性力を有しているものであるか否かが判別される。
【００１９】
上述のように、係止爪４０の弾性力が判別されたならば、挿入部５２を挿入空間３６から取り出して、次の挿入空間３６に挿入部５２を挿入し、次の挿入空間３６の係止爪４０の弾性力を判別する。
挿入部５２を挿入空間３６から取り出すに際して、測定具５０は、本体部５６上にスライド可能にスライド部材５８が設けられ、このスライド部材５８の先端に爪片６０が設けられているので、スライド部材５８を挿入空間３６側に移動させると、爪片６０は、図１７（Ｂ）に示すプラグアダプタ３０の係止爪４０の両側から挿入空間３６に侵入し、係止爪４０の爪部４００１の幅方向両側の凹部４００２に係合し、係止爪４０を開く方向に弾性変形させる。
したがって、スライド部材５８を挿入空間３６に挿入したのち本体部５６を挿入空間３６から抜き出すといった簡単な操作によりプラグアダプタ３０との係合状態を解除でき、測定具５０をプラグアダプタ３０から取り出すことができる。
したがって、従来のようにその都度専用の工具４４を用いてプラグアダプタ３０からの取り外しの操作をする場合に比べ、測定具５０の取り外し操作を簡単に短時間で行うことが可能となり、特に、１００箇所、２００箇所単位で係止爪４０の弾性力を測定する場合などに好適となる。
【００２０】
次に、第２の実施の形態について説明する。
図９（Ａ）は第２の実施の形態に係る測定具の平面図、（Ｂ）は正面図、図１０（Ａ）は測定具の要部の平面図、（Ｂ）は断面正面図、（Ｃ）は後面図を示す。
第１の実施の形態に係る測定具８０は、プラグアダプタ３０に同軸上に設けられた２つの挿入空間３６のうちの一方に装着された光コネクタプラグ１０のフェルール１６の押圧力を測定するものである。
測定具８０は、プラグアダプタ３０の挿入空間３６に挿入される挿入部８２と、挿入部８２に設けられた接触部８４に加え、本体部８６と、本体部８６に設けられたスライド部材８８と、スライド部材８８の先端に設けられた爪片６０を備えている。
【００２１】
挿入部８２は、図１０、図１１に示すように、本体部８６の先端に取着される第１の部材９２に設けられている。
第１の部材９２は断面が中空で矩形を呈している。
第１の部材９２は長さを有しており、その長さ方向の一端９２Ａの外形形状は、挿入空間３６に挿入される光コネクタプラグ１０のハウジング１２の部分と同一の形状に形成され、この部分により挿入部８２が構成されている。
第１の部材９２の長さ方向の一端９２Ａの両側には、ハウジング１２の係止凹部２０と同一の外形形状の係止凹部９２０３が設けられている。
また、第１の部材９２の長さ方向の一端９２Ａ寄りの内部の軸受け部９２０２には、フェルール１６と同形状の軸部材９２０４が軸方向に移動可能に挿通されている。
軸部材９２０４は図１２に示す第１の連結部材９２０５に連結されている。
第１の連結部材９２０５は、軸受け部９２０２より内側の第１の部材９２の内部空間に軸方向に移動可能に配設されている。
第１の連結部材９２０５は長さを有し、その長さ方向の一端に取り付け孔９２０６が形成され、長さ方向の他端に二股部９２０８が設けられ、二股部９２０８にはそれぞれ孔９２１０が形成されている。
軸部材９２０４の端部は第１の連結部材９２０５の取り付け孔９２０６に嵌合固定され、軸部材９２０４と第１の連結部材９２０５とが軸方向に一体的に動くように取着されている。
【００２２】
また、軸受け部９２０２より内側の第１の部材９２の内部空間には、第２の連結部材９２２０、第３の連結部材９２３０、第４の連結部材９２４０が設けられている。
第２の連結部材９２２０は、図１３に示すように、軸部９２２２と、軸部９２２２の両側から突設された一対の腕部９２２４と、軸部の基端に設けられた雄ねじ９２２６とを有している。
第２の連結部材９２２０は、図１０に示すように、軸部９２２２が第１の連結部材９２０５の二股部９２０８の内側空間に挿入され、一対の腕部９２２４が二股部９２０８の孔９２１０に軸周り方向および軸方向にがたつきを持って挿入され、軸部材９２０４が受けた力のうち軸方向の力のみを第３の連結部材９２３０、第４の連結部材９２４０へと伝達するように構成されている。
【００２３】
第３の連結部材９２３０は、図１４に示すように、筒部９２３２と、胴部９２３４と、軸部９２３６とを有している。
筒部９２３２の先端の雌ねじ９２３２Ａに雄ねじ９２２６が螺合することで第２の連結部材９２２０と第３の連結部材９２３０とが結合されている。
第４の連結部材９２４０は、図１０に示すように、第１の部材９２の内部空間の他端にねじにより取着されて配設されている。
第４の連結部材９２４０には孔９２４２が形成され、また、連結用フランジ９２４４が形成されている。
第３の連結部材９２３０の軸部９２３６は第４の連結部材９２４０の孔９２４２に軸方向に移動可能に挿入されている。
そして、軸部９２３６の周囲で第３の連結部材９２３０の胴部９２３４と第４の連結部材９２４０との間にコイルスプリング９２５０が巻装され、第３の連結部材９２３０を挿入部８２方向に付勢し、これにより第２の連結部材９２２０の軸部９２２２の先端が軸部材９２０４の後端に当接し、軸部材９２０４を突出する方向に付勢している。
なお、この状態で、第１の連結部材９２０５の先端は軸受け部９２０５の内側の壁部に当接し、また、胴部９２３４の先端は第１の連結部材９２０５の内部空間の壁部に当接し、前方へ最も移動した限界位置となっている。
【００２４】
図９に示すように、本体部８６は、基部８６０２と、基部８６０２から延在する延在部８６０４とを有し、長さを有している。
基部８６０２と延在部８６０４は共に断面が扁平な矩形に形成され、基部８６０２から延在部８６０４にわたり内部に孔８６０６が貫通形成されている。
そして、第４の連結部材９２４０の連結用フランジ９２４４およびねじを介して延在部８６０４の先端が第４の連結部材９２４０に連結され、これにより第１の部材９２、軸部材９２０４、第１の連結部材９２０５、第２の連結部材９２２０、第３の連結部材９２３０、第４の連結部材９２４０、延在部８６０４、基部８６０２とが同軸上に配設されることになる。
なお、本実施例では、一端９２Ａを除いた第１の部材９２の残りの部分は延在部８６０４に連結されることから、一端９２Ａ（挿入部８２）を除いた第１の部材９２の残りの部分は本体部８６を構成している。
【００２５】
接触部８４は、挿入部８２に設けられ挿入空間３６内において測定すべき箇所に接触するように構成されている。
本実施例では、プラグアダプタ３０に同軸上に設けられた２つの挿入空間３６のうちの一方に装着された光コネクタプラグ１０のフェルール１６の押圧力を測定するものであり、本実施例では、フェルール１６に軸部材９２０４が接触し、接触部８４が軸部材９２０４で構成されている。
そして、挿入部８２がプラグアダプタ３０の挿入空間３６に挿入され、軸部材９２０４がプラグアダプタ３０の弾性スリーブ４２に挿通され、プラグアダプタ３０の係止爪４０が第１の部材９２の係止凹部９２０３に係止し、軸部材９２０４が、プラグアダプタ３０の挿入空間３６に装着されている相手方の光コネクタプラグ１０のフェルール１６に接触し、相手方の光コネクタプラグ１０のフェルール１６により軸部材９２０４が軸方向に押圧される。
このとき、この押圧力は、第２の連結部材９２２０の軸部９２２２、第３の連結部材９２３０の筒部９２３２を経てコイルスプリング９２５０に伝達され、コイルスプリング９２５０を圧縮変形させる。そして、第２の連結部材９２２０、第３の連結部材９２３０を後退させ、軸部材９２０４を後退させる。本実施例では第２の連結部材９２２０と第３の連結部材９２３０が軸力伝達部材を構成している。
【００２６】
図１０、図１４に示すように、第３の連結部材９２３０の筒部９２３２の長手方向の中間部で外周面の周方向に等間隔をおいた４箇所にひずみゲージ６８が貼り付けられている。
このひずみゲージ６８は、リード線７０（図９参照）を介して測定具８０の外部の検出回路、演算部に接続され、筒部９２３２が応力を受けることで筒部９２３２の部分のひずみが前記検出回路により電気抵抗の変化として検出され、演算部で前記電気抵抗の変化に基づいて相手方の光コネクタプラグ１０のフェルール１６の押圧力が測定される。
ここで、検出回路は、例えば、アナログ回路で構成され、演算部は、例えば、前記アナログ回路で出力されるアナログ信号をデジタル信号に変換するＡＤ変換器と、専用のプログラムを実行することにより前記デジタル信号に基づいて押圧力の演算を行うマイクロコンピュータなどで構成される。
【００２７】
スライド部材８８は、図９に示すように、第１スライド部８８０２と、第２スライド部８８０４と、それら第１スライド部８８０２と第２スライド部８８０４とを連結する連結板８８０６とを備えている。
第１スライド部８８０２は、延在部８６０４上にスライド可能に結合されている。
第２スライド部８８０４は、第１の部材９２上にスライド可能に結合されている。
そして、連結板８８０６は一対設けられ、それぞれ断面が扁平な矩形断面の延在部８６０４の短辺上を延在し、第１スライド部８８０２と第２スライド部８８０４とを連結している。
【００２８】
第２スライド部８８０４は、第１の実施の形態と同様に図８に示す爪部材７２の一部で構成されている。
すなわち爪部材７２は、中空状の胴部７２０２を備え、爪片６０がこの胴部７２０２から突設されている。
胴部７２０２により第２スライド部８８０４が構成され、胴部７２０２の内部の矩形孔７２０４に、第１の部材９２がスライド可能に結合されている。
胴部７２０２の両側にはねじ孔７２０６が形成され、連結板８８０６の端部はこのねじ孔７２０６を介して爪部材７２に連結されている。
爪片６０は、胴部７２０２の両側に２つずつ設けられ、それらの基部は連結されている。
爪片６０は、スライド部材８８を挿入部８２から離しておき、挿入部８２がプラグアダプタ３０の挿入空間３６に挿入され、軸部材９２０４がプラグアダプタ３０の弾性スリーブ４２に挿通され、プラグアダプタ３０の係止爪４０が第１の部材９２の係止凹部９２０３に係止した状態で、スライド部材８８が挿入部８２方向に移動されると、図１７（Ｂ）に示すように、プラグアダプタ３０の係止爪４０の両側から挿入空間３６に侵入し、係止爪４０の爪部４００１の幅方向両側の凹部４００２に係合し、係止爪４０を開く方向に弾性変形させるように構成されている。すなわち、従来の工具４４の爪片４８０２と同様な機能を発揮するように構成されている。
【００２９】
第２実施例の測定具８０によれば、本体部８６を手で持ち図１７に示すプラグアダプタ３０の挿入空間３６に挿入部８２を挿入すると、軸部材９２０４がプラグアダプタ３０の弾性スリーブ４２に挿通され、プラグアダプタ３０の係止爪４０が第１の部材９２の係止凹部９２０３に係止する。
このとき、軸部材９２０４が、プラグアダプタ３０の挿入空間３６に装着されている相手方の光コネクタプラグ１０のフェルール１６に接触し、相手方の光コネクタプラグ１０のフェルール１６により軸部材９２０４が軸方向に押圧される。
この押圧力は、第２の連結部材９２２０の軸部９２２２を経て第３の連結部材９２３０の筒部９２３２に伝達され、したがって、筒部９２３２の応力変化がひずみゲージ６８を介して支持部材８４０４のひずみが電気抵抗の変化として検出され、相手方の光コネクタプラグ１０のフェルール１６の押圧力が演算される。
そして、この演算結果を見ることで、相手方の光コネクタプラグ１０のフェルール１６が、フェルール１６の端面どうしを同軸上で密着した状態で突き合わせ光コネクタプラグ１０のプラグアダプタ３０への装着状態を確実ならしめるに足る押圧力を有しているものであるか否かが判別される。
【００３０】
上述のように、相手方の光コネクタプラグ１０のフェルール１６の押圧力が判別されたならば、挿入部８２を挿入空間３６から取り出して、次の挿入空間３６に挿入部８２を挿入し、次の挿入空間３６の係止爪４０の弾性力を判別する。
挿入部８２を挿入空間３６から取り出すに際して、測定具８０は、本体部８６上にスライド可能にスライド部材８８が設けられ、このスライド部材８８の先端に爪片６０が設けられているので、スライド部材８８を挿入空間３６側に移動させると、爪片６０は、図２（Ｂ）に示すプラグアダプタ３０の係止爪４０の両側から挿入空間３６に侵入し、係止爪４０の爪部４００１の幅方向両側の凹部４００２に係合し、係止爪４０を開く方向に弾性変形させる。
したがって、スライド部材８８を挿入空間３６に挿入したのち本体部８６を挿入空間３６から抜き出すといった簡単な操作によりプラグアダプタ３０との係合状態を解除でき、測定具８０をプラグアダプタ３０から取り出すことができる。
したがって、従来のようにその都度専用の工具４４を用いてプラグアダプタ３０からの取り外しの操作をする場合に比べ、測定具８０の取り外し操作を簡単に短時間で行うことが可能となり、特に、１００箇所、２００箇所単位で相手方の光コネクタプラグ１０のフェルール１６の押圧力を測定する場合などに好適となる。
【００３１】
なお、上述の実施例では、フェルールの押圧力を測定する測定具と、係止爪の押圧力を測定する測定具の場合について説明したが、測定する箇所は他の箇所であってもよい。
【図面の簡単な説明】
【００３２】
【図１】（Ａ）は第１の実施の形態に係る測定具の平面図、（Ｂ）は正面図である。
【図２】（Ａ）は測定具の要部の平面図、（Ｂ）は断面正面図、（Ｃ）は前面図、（Ｄ）は後面図である。
【図３】（Ａ）は第１の部材の断面平面図、（Ｂ）は正面図、（Ｃ）は前面図、（Ｄ）は後面図である。
【図４】（Ａ）は分割体の平面図、（Ｂ）は断面正面図、（Ｃ）は前面図、（Ｄ）は後面図である。
【図５】接触部材および支持部材の説明図である。
【図６】（Ａ）は支持部材の平面図、（Ｂ）は正面図である。
【図７】（Ａ）は接触部材の正面図、（Ｂ）は平面図、（Ｃ）は側面図である。
【図８】（Ａ）は爪部材の正面図、（Ｂ）は平面図、（Ｃ）は前面図、（Ｄ）は後面図である。
【図９】（Ａ）は第２の実施の形態に係る測定具の平面図、（Ｂ）は正面図である。
【図１０】（Ａ）は測定具の要部の平面図、（Ｂ）は断面正面図、（Ｃ）は後面図である。
【図１１】（Ａ）は第１の部材の平面図、（Ｂ）は断面正面図、（Ｃ）は前面図、（Ｄ）は後面図である。
【図１２】（Ａ）は第１の連結部材の平面図、（Ｂ）は正面図、（Ｃ）は後面図である。
【図１３】（Ａ）は第２の連結部材の正面図、（Ｂ）は側面図である。
【図１４】（Ａ）は第３の連結部材の平面図、（Ｂ）は正面図、（Ｃ）は後面図である。
【図１５】（Ａ）は第４の連結部材の平面図、（Ｂ）は正面図、（Ｃ）は前面図、（Ｄ）は後面図である。
【図１６】光コネクタプラグの斜視図である。
【図１７】（Ａ）はプラグアダプタの正面図、（Ｂ）はプラグアダプタの要部断面正面図である。
【図１８】プラグアダプタに光コネクタプラグが装着された状態の断面図である。
【図１９】光コネクタプラグ取り外し用の工具の斜視図である。
【符号の説明】
【００３３】
１０……光コネクタプラグ、１６……フェルール、３０……プラグアダプタ、４０……係止爪、５０……測定具、５２、８２……挿入部、５４、８４……接触部、５６、８６……本体部、５８、８８……スライド部材、６０……爪片、８０……測定具。
【図１】
2006243125.tif 000003
【図２】
2006243125.tif 000004
【図３】
2006243125.tif 000005
【図４】
2006243125.tif 000006
【図５】
2006243125.tif 000007
【図６】
2006243125.tif 000008
【図７】
2006243125.tif 000009
【図８】
2006243125.tif 000010
【図９】
2006243125.tif 000011
【図１０】
2006243125.tif 000012
【図１１】
2006243125.tif 000013
【図１２】
2006243125.tif 000014
【図１３】
2006243125.tif 000015
【図１４】
2006243125.tif 000016
【図１５】
2006243125.tif 000017
【図１６】
2006243125.tif 000018
【図１７】
2006243125.tif 000019
【図１８】
2006243125.tif 000020
【図１９】
2006243125.tif 000021